(57)【要約】      （修正有）【課題】テレビ受像機を活用し、ＣＡＴＶ用リモコンおよびデジタルテレビ用リモコンにより、インターネット上にアップロードされたコンテンツデータを簡単に閲覧できるようにする。【解決手段】テレビ受像機１は、ＣＡＴＶ局２およびデジタル放送局３の各放送局によるデジタル放送網と少なくともデータ放送４、５ならびにインターネット回線６、７、８に接続されている。ユーザーはリモコン９、１０を用いて表示されるメニュー画面からコンテンツサーバー１１にアクセスすることでコンテンツがサムネイル表示される。このサムネイルをリモコン９、１０で選択し、決定すると、ユーザーが閲覧したいコンテンツデータがテレビ受像機１に全画面表示される。【選択図】図１
2015056883.tif 000002
【特許請求の範囲】
【請求項１】
テレビ受像機に組み込まれたブラウザ機能に依存することなく、ケーブルテレビ放送網・デジタルテレビ放送網・衛星（ＢＳ・ＣＳ）テレビ放送網・光回線によるテレビ放送網の少なくともデータ放送から得られる放送局専用ページおよびハイブリッドキャストからユーザーが、リモコンの操作を介して、インターネット上のコンテンツサーバーに蓄積された、少なくともタブレット端末などで撮像されたコンテンツデータを、テレビ受像機に閲覧表示することを特徴とするコンテンツ閲覧システム。
【請求項２】
請求項１のコンテンツ閲覧システムにおいて、
ケーブルテレビ放送網・デジタルテレビ放送網・衛星（ＢＳ・ＣＳ）テレビ放送網・光回線によるテレビ放送網およびそれに伴う少なくともデータ放送ならびにインターネットを介して通信を行う通信手段およびハイブリッドキャストと、ケーブルテレビ放送網・デジタルテレビ放送網・衛星（ＢＳ・ＣＳ）テレビ放送網・光回線によるテレビ放送網およびそれに伴う少なくともデータ放送から得られる放送局専用ページとハイブリッドキャストにより表示されるメニュー画面を介して行われるユーザーの操作を受け付ける操作手段と、少なくともコンテンツデータが蓄積されるサーバーの上記インターネット上の位置情報と認証情報とが予め登録されているコンテンツサーバー情報記憶手段と、コンテンツサーバーに設置されたコンテンツデータを閲覧表示できるよう表示制御する表示制御手段と、上記コンテンツのアップロードを操作する制御手段を有することを特徴とするコンテンツ閲覧システム。
【請求項３】
請求項１のコンテンツ閲覧システムにおいて、
テレビ受像機が上記通信手段により、上記コンテンツサーバーと通信を行い上記インターネット上の予め記録された位置情報と認証情報を用いて上記コンテンツサーバーの領域にアクセスし、蓄積されたコンテンツデータを取得して、取得されたコンテンツデータを上記表示制御手段によって閲覧表示することを特徴とするコンテンツ閲覧システム。
【請求項４】
請求項１のコンテンツ閲覧システムにおいて、
インターネットに接続され、上記インターネットを介して端末装置から送信された、少なくともコンテンツデータを蓄積するコンテンツサーバーと、ユーザーによる操作を受け付ける操作手段と、上記インターネットを介して通信を行う通信手段と、上記インターネット上の予め記録された位置情報と予め登録された認証情報を保持するコンテンツサーバー情報記録手段と、コンテンツデータを閲覧できるように表示制御する表示制御手段を有することを特徴とするコンテンツ閲覧システム。
【請求項５】
請求項１のコンテンツ閲覧システムにおいて、
テレビ受像機と上記コンテンツサーバーとで通信を行う通信のステップと、上記通信ステップでの上記通信によって、予め登録された上記認証情報を用いて上記コンテンツサーバーにアクセスして蓄積された上記コンテンツデータ取得のステップと、取得された上記コンテンツデータを上記テレビ受像機上で閲覧表示する表示のステップとを有するコンテンツ閲覧方法。
【請求項６】
請求項５に記載のコンテンツ閲覧方法において、
上記通信のステップ、上記コンテンツデータ取得のステップおよび上記表示のステップを上記テレビ受像機に対するユーザーの少なくともＣＡＴＶ用リモコンおよびデジタルテレビ用リモコンの操作に応じて行うようにしたことを特徴とするコンテンツ閲覧方法。
【請求項７】
テレビ受像機で閲覧するためのコンテンツデータをインターネット上のコンテンツサーバーに送信して蓄積させるようにした端末装置において、
インターネット上の位置情報と認証情報を用いて承認されたユーザーに対し、コンテンツサーバー上に予め確保された領域へインターネットを介してコンテンツデータを送信する送信手段を有し、上記コンテンツサーバーの領域に対して、コンテンツデータを送信することを特徴としたコンテンツ閲覧システム。
【請求項８】
インターネットに接続され、蓄積されたコンテンツデータをテレビ受像機で閲覧できるようにしたサーバー装置において、
インターネットを介して端末装置から送信された少なくともコンテンツデータを、インターネット上の予め記録された位置情報と認証情報に応じて予め確保された領域に蓄積する蓄積手段を有し、ユーザーの少なくともＣＡＴＶ用リモコンおよびデジタルテレビ用リモコンによるテレビ受像機の操作により、予め登録された上記インターネット上のユーザーの認証情報に基づきテレビ受像機と通信され、テレビ受像機の少なくともＣＡＴＶ用リモコンおよびデジタルテレビ用リモコンにより予め登録された上記認証情報を用いて上記コンテンツサーバーの領域がアクセスされ、蓄積されたコンテンツデータが取得できるようにしたことを特徴とするサーバー装置。
【請求項９】
請求項８のサーバー装置および端末装置において、
インターネットを介して端末装置から送信する少なくともコンテンツデータを、予め確保された領域に蓄積する際、ユーザーの端末装置でアップロードを操作することとインターネット上のコンテンツサーバーとアクセスする際、予め記録された位置情報と認証情報に応じて予め確保された領域を自動的に接続することを可能とし、インターネットからダウンロードすることで操作を可能とすることを特徴とするアプリケーション。
【請求項１０】
請求項８のアプリケーションにおいて、
インターネット上のコンテンツサーバー上で行うことに限らず、端末装置に対して、インターネットからダウンロードすることで、端末装置でインターネット上のコンテンツサーバーに送信し、アップロードすることも可能なことを特徴とするアプリケーション。
【発明の詳細な説明】
【技術分野】
【０００１】    本発明は、スマートフォンやタブレット端末などの端末装置から送信され、インターネット上の予め記録された位置情報によりコンテンツサーバーに蓄積されたコンテンツデータをテレビ受像機で簡単に閲覧できるようにした、コンテンツ閲覧システムおよび方法ならびにサーバー装置およびアプリケーションに関する。
【背景技術】
【０００２】    インターネットなどのネットワーク環境が普及した今日では、例えばインターネットに接続されたパーソナルコンピュータなどのコンピュータ装置からインターネット上のサーバーに対して画像データをアップロードし、インターネットに接続された他のコンピュータ装置からこのサーバーにアクセスして、アップロードされた画像データを閲覧することが行われている。【０００３】    一方、近年では、携帯電話やスマートフォン・タブレット端末などの端末装置（以上、まとめて携帯端末と称する）からインターネットに接続することが一般的に行われている。インターネットに接続可能な携帯端末では、電子メールの送信やインターネット上のＷｅｂサイトの閲覧などを行うことができるようにされている。また、携帯電話端末に対して撮像手段を設け、この撮像手段で撮像された画像データを上述したサーバーにアップロードするようなことも行われている。この場合、画像データは、例えば電子メールの添付ファイルとしてサーバーに送信され、サーバー上に蓄積される。【０００４】    この、携帯端末を用いて撮像し撮像された画像データをアップロードすることは、携帯端末自体が有する優れた可搬性と、操作の簡便性で、急激な普及を遂げている。【０００５】    このようにしてサーバーにアップロードされ蓄積された画像データは、インターネットに接続された携帯端末やコンピュータ装置で閲覧することができる。例えば、インターネットへの接続環境を提供するインターネットサービスプロバイダや、第３者のネット事業者によるインターネット上の画像サーバーを利用することが考えられる。携帯端末で撮像された画像データを電子メールに添付して、この画像サーバーに対して送信する。他の携帯端末装置やコンピュータ装置からこの画像サーバにアクセスすることで、蓄積された画像データを閲覧することができる。【０００６】    また、近年デジタルテレビの普及により、インターネットへの接続が可能になり、テレビ製造メーカーがメーカー専用のＷｅｂサイトを運営し、サービスを提供している。これにより、テレビ受像機に組み込まれたブラウザ機能により自動的にメーカー専用のＷｅｂサイトへ接続され、そのサービスの一環として提供サービスの専用サーバーに写真をアップロードさせることでテレビの画面で撮影された画像を閲覧することができる。【０００７】
【特許文献】    特開２００４−２７４２６０号公報  公開日平成１６年９月３０日
【発明の概要】
【発明が解決しようとする課題】
【０００８】    上述のようにして、インターネット上のサーバーにアップロードされ蓄積された画像データを携帯端末やコンピュータ装置で閲覧するためには、メールアドレスを取得する必要があると共に、これら携帯端末やコンピュータ装置に対してインターネット接続やメール送受信などに関する各種の設定を行う必要がある。これは、コンピュータ装置などの操作に堪能な一部のユーザー以外にとっては、大変な負担になるという問題点があった。【０００９】    ところで、例えば家庭での使用において、画像を表示する最も一般的な装置としては、テレビ受像機が考えられる。テレビ受像機は、通常、家庭の居間などに置かれ、ある程度の大画面を有し、さらに操作も簡便であるため、家族など複数のメンバーで画像を閲覧するには適している。しかしながら、従来では、携帯端末から電子メールに添付されてサーバーにアップロードされ蓄積された画像データをテレビ受像機で閲覧するような仕組みが無かったという問題点があった。【００１０】    近年のテレビ受像機は、デジタル化が進んでおり、テレビ受像機に対して、インターネット接続は容易である。テレビ受像機に対してインターネット接続機能を搭載することで、テレビ受像機からインターネット上のサーバーにアクセスしてサーバーに蓄積されたコンテンツデータを取得し、表示させることができる。【００１１】    しかしながら、インターネット接続を可能としたテレビ受像機において、簡単にＷｅｂサイトを閲覧させるためには、テレビ受像機にブラウザ機能を有する必要があり、それによりテレビ用リモコンでの操作で簡単な閲覧が可能になるが、そのブラウザに依存することでテレビメーカーが有する専用のＷｅｂサイトでの操作のみとなり、メーカーの指定したＷｅｂサイトでのサービスとしての限定された閲覧となる。【００１２】    上述のように、一般のユーザーにとって、インターネットにアクセスするのは、諸設定を含め、知識と大変な労力を要求される。現在一部のテレビ受像機では、テレビ用リモコンを使って、恰もデジタル情報コンテンツやチャンネルを選択するようにインターネット上にアップロードされたコンテンツデータを閲覧することができるようになってきているが、限られたテレビ受像機で、特定のＷｅｂサイトでの閲覧しかできないという問題点があった。【００１３】    したがって、本発明の目的は、ケーブルテレビ放送網・デジタルテレビ放送網・衛星（ＢＳ・ＣＳ）テレビ放送網・光回線によるテレビ放送網およびそれに伴う少なくともデータ放送およびハイブリッドキャストの送受信とインターネットへの接続が可能なテレビ受像機により、テレビ受像機のメーカーに依存することなく、ＣＡＴＶ用リモコンやデジタルテレビ用リモコンを使って恰もデジタル情報コンテンツやチャンネルを選択するようにインターネット上にアップロードされたコンテンツデータを閲覧することができるようなコンテンツ閲覧システムおよび方法、ならびにサーバー装置およびアプリケーションを提供することにある。
【課題を解決するための手段】
【００１４】    本発明は、上記課題を解決するため、以下の手段を採用する。
ケーブルテレビ放送網・デジタルテレビ放送網・衛星（ＢＳ・ＣＳ）テレビ放送網・光回線によるテレビ放送網およびそれに伴う少なくともデータ放送およびハイブリッドキャストならびにインターネットへの接続を有するテレビ受像機で閲覧できるようにしたコンテンツ閲覧システムにおいて、ユーザーによる操作を受けるＣＡＴＶ上のメニュートップ画面および各テレビ放送局の少なくともデータ放送上のメニュートップ画面に伴う操作手段と、ケーブルテレビ用回線および放送用デジタル電波ならびにインターネットを介して通信を行う通信手段と、少なくともコンテンツデータが蓄積されるコンテンツサーバーのインターネット上の予め記録された位置情報と予め登録された認証情報を記録するサーバー情報記録手段と、コンテンツデータを閲覧表示できるように表示制御する表示制御手段とを有することを特徴とするコンテンツ閲覧システムである。【００１５】    また、本発明は、ＣＡＴＶ放送局および各テレビ放送局からインターネット上のコンテンツサーバーに蓄積されたコンテンツデータをテレビ受像機で閲覧するようにしたコンテンツ閲覧システムにおいて、インターネットに接続され、インターネットを介して端末装置から送信された少なくともコンテンツデータを蓄積するコンテンツサーバーと、ユーザーによる操作を受ける操作手段と、インターネットを介して通信を行う通信手段と、コンテンツサーバーのインターネット上の予め記録された位置情報と予め登録された認証情報を記録するサーバー情報記録手段と、コンテンツデータを閲覧表示できるように表示制御する表示制御手段とを有することを特徴とするコンテンツ閲覧システムである。【００１６】    また、本発明は、ＣＡＴＶ放送局および各テレビ放送局からインターネット上のコンテンツサーバーに蓄積されたコンテンツデータをテレビ受像機で閲覧するようにしたコンテンツデータ閲覧方法において、少なくともコンテンツデータが蓄積されるコンテンツサーバーのインターネット上の予め記録された位置情報と予め登録された認証情報によりアクセスしたコンテンツサーバーとテレビ受像機とで通信を行う通信ステップと、通信ステップでの通信により予め登録された認証情報を用いてコンテンツサーバーにアクセスして蓄積されたコンテンデータを取得するコンテンツデータ取得のステップと、コンテンツデータ取得のステップで取得されたコンテンツデータをテレビ受像機で閲覧表示する表示のステップとを有することを特徴とするコンテンツ閲覧方法である。【００１７】    また、本発明は、インターネットに接続され、蓄積された画像データをテレビ受像機で閲覧できるようにしたサーバー装置において、インターネットを介して端末装置から送信された少なくともコンテンツデータを、認証情報に応じて予め確保された領域に蓄積する蓄積手段を有し、ユーザーによるテレビ受像機に対するＣＡＴＶ用リモコンやデジタルテレビ用リモコンの操作により、インターネット上のコンテンツサーバーと通信され、テレビ受像機により、インターネット上の予め記録された位置情報と予め登録された認証情報を用いて領域がアクセスされ領域に蓄積されたコンテンツデータを取得できるようにしたことを特徴とするサーバー装置である。【００１８】    上述したように、本発明は、少なくともコンテンツデータが蓄積されるコンテンツサーバーのインターネット上の予め記録された位置情報と予め登録された認証情報とＣＡＴＶ上のメニュートップ画面および各テレビ放送局の少なくともデータ放送上のメニュートップ画面およびハイブリッドキャストにより表示されるメニュー画面に伴う操作を用いてコンテンツサーバー上の領域にアクセスし領域に蓄積されたコンテンツデータを取得して閲覧表示できるようにしているため、ユーザーは、インターネットの接続設定やサーバーへのアクセス設定を行うこと無しにサーバーに蓄積されているコンテンツデータを閲覧することができる。【００１９】    また、本発明は、インターネットに接続されたサーバーに端末装置から送信された少なくともコンテンツデータが蓄積され、テレビ受像機は、認証情報を用いてサーバーにアクセスして蓄積されたコンテンツデータを取得し、取得されたコンテンツデータを閲覧表示するようにしているため、ユーザーは、インターネットの接続設定やサーバーへのアクセス設定を行うこと無しに、サーバーに蓄積されているコンテンツデータを簡易な操作でテレビ受像機を用いて閲覧することができる。【００２０】    また、本発明は、認証情報に応じて予め確保された領域に、インターネットを介して端末装置から送信された少なくともコンテンツデータを蓄積し、予め記録された位置情報に基づきテレビ受像機と通信され、テレビ受像機により、予め登録された認証情報を用いて領域がアクセスされ領域に蓄積されたコンテンツデータが取得されて閲覧される動作が、ユーザーによるテレビ受像機に対するＣＡＴＶ上のメニュートップ画面および各テレビ放送局の少なくともデータ放送上のメニュートップ画面およびハイブリッドキャストにより表示されるメニュー画面に伴う操作により自動的に行われるようにしているため、領域に蓄積されたコンテンツデータを、ユーザーによるインターネットの接続設定やアクセス設定を行うこと無しに、簡易な操作でテレビ受像機を用いて閲覧することができる。【００２１】    また、本発明は、端末装置にインターネットを介して専用アプリケーションをダウンロードし、予め記録された位置情報によりコンテンツサーバーとアクセスを行い、認証情報に応じて予め確保された領域に自動的に接続することができ、コンテンツサーバー内に組み込まれたアプリケーションにより、少なくともコンテンツデータを簡易な操作で端末装置を用いてアップロードすることができる。【００２２】    また、本発明は、アップロードの操作をインターネット上のコンテンツサーバー上で行うことに限らず、端末装置に対して、インターネットからアプリケーションをダウンロードすることで、端末装置でインターネット上のコンテンツサーバーに送信し、アップロードすることができる。
【発明の効果】
【００２３】    以上のように、本発明によれば、容易にテレビ受像機を用いて、デジタル加工された少なくともコンテンツを老若男女問わず閲覧することができ、また、携帯端末を用いて、容易にデジタル加工したコンテンツをテレビ受像機で閲覧させることができる。
【発明を実施するための最良の形態】
【００２４】    本発明に係る一実施形態について図を参照して説明する。本発明は、ＣＡＴＶ放送局および各テレビ放送局のデジタル放送網と少なくともデータ放送を活用し、インターネット上にあるコンテンツサーバーとアクセスすることで、ユーザーによるインターネットの接続設定やアクセス設定を行うこと無しに、簡易な操作でテレビ受像機を用いて閲覧することができる。【００２５】    図１は、本発明によるコンテンツ閲覧システムの構成を示す。テレビ受像機１は、ＣＡＴＶ用ケーブルによるデジタル放送４ならびにデジタル放送網５と接続され、ＣＡＴＶ局２およびデジタル（衛星（ＢＳ・ＣＳ）・光回線によるテレビ放送局）放送局３の各放送局の少なくともデータ放送およびハイブリッドキャストを閲覧することで当該サービスを受けることができる。【００２６】    すなわち、ＣＡＴＶ局２およびデジタル（衛星（ＢＳ・ＣＳ）・光回線によるテレビ放送局）放送局３の各放送局が展開する少なくともデータ放送トップページにあるメニューおよびハイブリッドキャストにより表示されるメニューにおいて、ＣＡＴＶ用リモコン９およびデジタルテレビ用リモコン１０により当該サービスのアイコンを選択することで、インターネット８上のコンテンツサーバー１１に接続され、コンテンツデータをテレビ受像機で閲覧することができる。【００２７】    コンテンツサーバー１１よりコンテンツを閲覧する際は、コンテンツ受信用としてＣＡＴＶ用ケーブルによるインターネット回線６もしくは一般のインターネット回線７をテレビ受像機に接続することで可能となる。【００２８】    ＣＡＴＶ用リモコン９およびデジタルテレビ用リモコン１０により当該サービスのアイコンを選択する際、ユニークな認証情報が予め登録され、当該認証情報に対応する領域がユーザー領域として予め確保される。それと共に、コンテンツサーバー１１において、認証情報に対応したパスワードが予め登録される。また、コンテンツ閲覧には、少なくともデータ放送トップページにあるメニューおよびハイブリッドキャストにより表示されるメニューにおいて、ＣＡＴＶ用リモコン９およびデジタルテレビ用リモコン１０により当該サービスのアイコンを選択した際、予め登録された認証情報とパスワードを入力することでコンテンツデータの閲覧がテレビ受像機で可能となる。【００２９】    コンテンツサーバー１１は、入力された認証情報とパスワードにより予め記憶されたインターネット８上の位置情報と認証情報に対応するユーザー領域を認証し、コンテンツの閲覧をテレビ受像機１で可能とする。【００３０】    端末装置１２は、コンテンツサーバー１１にアクセスを行うためには、端末装置用ストア１４からアクセス用アプリケーション１５のダウンロードをすることが必要となる。【００３１】    端末装置１２は、アクセス用アプリケーション１５を用いた際、ユニークな認証情報が予め登録され、当該認証情報に対応する領域がユーザー領域として確保される。それと共に、コンテンツサーバー１１において、認証情報に対応したパスワードが予め登録される。【００３２】    端末装置１２は、アクセス用アプリケーション１５によりインターネット８上のコンテンツサーバー１１に上記の認証情報とパスワードによりアクセスされる。その際、コンテンツサーバー１１の領域内にあるアップロード用アプリケーション１３を用いることができる。【００３３】    アップロード用アプリケーション１３により、コンテンツデータは端末装置１２を介してアップロードすることができる。【００３４】    アップロード用アプリケーション１３は、端末装置用ストア１４から端末装置１２に直接ダウンロードすることもできる。その際、アップロード用アプリケーション１６を端末装置１２で用いて、コンテンツデータをアップロードすることもできる。【００３５】    図２は、コンテンツサーバー１１に蓄積されたコンテンツデータをテレビ受像機１で閲覧する際の一例の操作方法を示す。ＣＡＴＶ用リモコン９には、通常のテレビ放送を受像するため用いられる、チャンネル選択ボタンや音量調整ボタンなどの他に、少なくとも専用データ放送用のメニューボタンが予め設けられている。また、データ放送内の選択を行うボタンとして、十字キーと青・赤・緑・黄のボタンが予め設けられている。【００３６】    また、デジタルテレビ用リモコン１０にも、通常のテレビ放送を受像するため用いられる、チャンネル選択ボタンや音量調整ボタンなどの他に、少なくともデータ放送を閲覧するためのｄボタンが予め設けられている。また、データ放送内の選択およびハイブリッドキャストにより表示されるメニューの選択を行うボタンとして、十字キーと青・赤・緑・黄のボタンが予め設けられている。【００３７】    先ず、ＣＡＴＶ用リモコン９では、少なくとも専用データ放送用のメニューボタンを押し、デジタルテレビ用リモコン１０では、少なくともデータ放送を閲覧するためのｄボタンを押す。すると、ＣＡＴＶ局２およびデジタル（衛星（ＢＳ・ＣＳ）・光回線によるテレビ放送局）放送局３の各放送局が展開する少なくともデータ放送のトップページにより表示されるメニュー画面が表示される。【００３８】    また、デジタル（衛星（ＢＳ・ＣＳ）・光回線によるテレビ放送局）放送局３の各放送局が展開するハイブリッドキャストではそのまま放送中のテレビ画面にメニュー画面が表示される。【００３９】    ＣＡＴＶ局２およびデジタル（衛星（ＢＳ・ＣＳ）・光回線によるテレビ放送局）放送局３の各放送局が展開する少なくともデータ放送トップページのメニュー画面内およびハイブリッドキャストにより表示されるメニュー画面内にある、例えば「Ｍｙ  Ｃｏｎｔｅｎｔｓ  ｖｉｅｗｅｒ」のボタンを十字キーもしくは青・赤・緑・黄のボタンで選択し押すことで、ＣＡＴＶ局２およびデジタル（衛星（ＢＳ・ＣＳ）・光回線によるテレビ放送局）放送局３の各放送局からインターネット８上でブラウザを起動させる。【００４０】    ＣＡＴＶ局２およびデジタル（衛星（ＢＳ・ＣＳ）・光回線によるテレビ放送局）放送局３の各放送局からインターネット８上でのブラウザ起動は、ユーザーには恰もテレビ受像機でメニュー画面が切り替わるだけの操作として表示される。【００４１】    テレビ受像機１では、例えば「Ｍｙ  Ｃｏｎｔｅｎｔｓ  ｖｉｅｗｅｒ」のボタンを十字キーもしくは青・赤・緑・黄のボタンで選択し押すことで、各放送局の少なくともデータ放送およびハイブリッドキャストか���ＣＡＴＶ用ケーブルによるインターネット回線６もしくは一般のインターネット回線７への接続へ、現在の各放送局が提供している少なくともデータ放送およびハイブリッドキャストからインターネット上のサービスへ移行させる操作と同様に自動的に変更される。【００４２】    各放送局の少なくともデータ放送からＣＡＴＶ用ケーブルによるインターネット回線６もしくは一般のインターネット回線７に変更後、インターネット８上のコンテンツサーバー１１にアクセスされる。【００４３】    コンテンツサーバー１１では、予め登録された認証情報に対応したパスワードの入力がテレビ受像機１の画面上で要求される。ユーザーは、ＣＡＴＶ用リモコン９およびデジタルテレビ用リモコン１０を用いて、予め登録された認証情報に対応したパスワードの入力を行う。【００４４】    コンテンツサーバー１１では、ユーザーによってテレビ受像機から入力された認証情報とパスワードを予め登録された認証情報に対応したパスワードと照合を行い、予め有する認証情報と１対１の関係にあることを確認し、接続される。【００４５】    テレビ受像機１は、コンテンツサーバー１１に接続されたことで、例えば「Ｍｙ  Ｃｏｎｔｅｎｔｓ  ｖｉｅｗｅｒ」のボタンの選択を行うことで、メニューが表示される。【００４６】    テレビ受像機１に表示されたメニュー上の例えば「Ｍｙ  ｃｏｎｔｅｎｔｓ」ボタンを押し、メニュー画面が表示される。【００４７】    テレビ受像機１に表示された、例えば「Ｍｙ  ｃｏｎｔｅｎｔｓ」のメニュー画面には、サムネイルとしてコンテンツフォルダが表示される。【００４８】    テレビ受像機１に表示された、例えば「Ｍｙ  ｃｏｎｎｔｅｎｔｓ」のメニュー画面からＣＡＴＶ用リモコン９およびデジタルテレビ用リモコン１０の十字キーもしくは青・赤・緑・黄のボタンを用いて、サムネイルとして表示されたコンテンツフォルダを選択しボタンを押す。【００４９】    テレビ受像機１には、コンテンツアルバムが表示される。これらは、恰もアルバム台紙にコンテンツを貼り付けたかのような表示となり、ＣＡＴＶ用リモコン９およびデジタルテレビ用リモコン１０の十字キーもしくは青・赤・緑・黄でアルバム台紙に表示の文字情報およびコンテンツ情報ならびにボタン表示されている個々の情報を選択することで、個々のコンテンツ情報を個別に閲覧することができる。【００５０】    図３は、コンテンツサーバー１１にコンテンツデータを蓄積する際のアップロードをする際の一例の操作方法を示す。端末装置１２には、コンテンツデータをコンテンツサーバー１１に接続するためのアクセス用アプリケーション１５が必要となる。アクセス用アプリケーション１５は、端末装置１２を用いて端末装置用ストア１４からアクセス用アプリケーション１５のダウンロードを行う。【００５１】    端末装置１２においてアクセス用アプリケーション１５を起動することで、インターネット８上のコンテンツサーバー１１を予め記録された位置情報によりアクセスを行う。【００５２】    端末装置１２とアクセスしたコンテンツサーバー１１では、予め登録された認証情報に対応したパスワードの入力が端末装置１２の画面上で要求される。ユーザーは、予め登録された認証情報���対応したパスワードの入力を行う。【００５３】    コンテンツサーバー１１では、ユーザーによって端末装置１２により入力された認証情報とパスワードを予め登録された認証情報に対応したパスワードと照合を行い、予め有する認証情報と１対１の関係にあることを確認し、接続される。【００５４】    端末装置１２には、コンテンツサーバー１１と接続したことで、ユーザーが登録しているサービス上のメニュー画面が表示される。例えば「ｐｒｏｃｅｓｓｉｎｇメニュー」「Ｕｐｌｏｒｄメニュー」などのボタンが用意される。【００５５】    端末装置１２で構成されたコンテンツデータは、例えば「Ｕｐｌｏｒｄメニュー」などのボタンから例えば「Ｕｐｌｏｒｄ」のボタンの選択を行い、コンテンツサーバー１１の領域内に組み込まれたアップロード用アプリケーション１３によってアップロードの操作が行われる。
【産業上の利用可能性】
【００５６】    これまでデジタル化されたコンテンツは、パソコンおよび携帯端末などの特定の端末装置をインターネットに接続し閲覧することしかできず、高齢化が進む日本では容易にそれらを高齢者が操作して閲覧することができなかったが、本発明により容易にテレビ受像機を使い、どこでも、誰でも閲覧することができるようになり、特定のコンテンツに限らず、様々なコンテンツを事業者が高齢者向けに展開できるようなる。
【図面の簡単な説明】
【００５７】
【図１】本発明の一実施形態に係るコンテンツ閲覧システムを示す構成図である。
【図２】本発明の一実施形態に係るコンテンツサーバーからコンテンツを閲覧する操作を示すフローチャート図である。
【図３】本発明の一実施形態に係るコンテンツサーバーへコンテンツをアップロードする操作を示すフローチャート図である
【図１】
2015056883.tif 000003
【図２】
2015056883.tif 000004
【図３】
2015056883.tif 000005